(57)【要約】【課題】送風機の出力に合わせて冷却風の風速を調節することができるとともに、冷却風の円滑な流れを阻害しにくい画像表示装置を提供すること。【解決手段】本発明の画像表示装置は、光源装置から射出した光を画像信号に応じて変調する空間光変調装置２１Ｒと、冷却風を送出する送風機８１と、送風機から送出された冷却風を、空間光変調装置を含む冷却対象の近傍へ導き、吹出口８２ａから空間光変調装置に向けて冷却風を吹き出す送風ダクト８２と、を備える画像表示装置であって、送風ダクトの壁面の少なくとも一部が、送風ダクトの断面積を変化させるように移動可能な可動壁８８で構成され、可動壁を移動させる移動手段と、送風機の出力を制御する出力制御部８５と、送風機の出力の変化に応じて可動壁の移動を制御する可動壁制御部８５と、をさらに有する。【選択図】図２
2011138062.tif 000002
【特許請求の範囲】
【請求項１】
光源装置から射出した光を画像信号に応じて変調する空間光変調装置と、冷却風を送出する送風機と、前記送風機から送出された冷却風を、前記空間光変調装置を含む冷却対象の近傍へ導き、吹出口から前記冷却対象に向けて冷却風を吹き出す送風ダクトと、を備える画像表示装置であって、
前記送風ダクトの壁面の少なくとも一部が、前記送風ダクトの断面積を変化させるように移動可能な可動壁で構成され、
前記可動壁を移動させる移動手段と、
前記送風機の出力を制御する出力制御部と、
前記送風機の出力の変化に応じて前記可動壁の移動を制御する可動壁制御部と、をさらに有することを特徴とする画像表示装置。
【請求項２】
前記送風ダクトは、前記可動壁とは異なる固定壁で前記吹出口が形成されていることを特徴とする請求項１に記載の画像表示装置。
【請求項３】
前記冷却対象の温度を検知する温度検知部をさらに有し、
前記可動壁制御部は、前記温度検知部によって検知された温度に応じて前記可動壁の移動を制御することを特徴とする請求項１または２に記載の画像表示装置。
【請求項４】
前記冷却風の風速を検知する風速検知部をさらに有し、
前記可動壁制御部は、前記風速検知部によって検知された風速に応じて前記可動壁の移動を制御することを特徴とする請求項１または２に記載の画像表示装置。
【請求項５】
前記可動壁の移動に伴って移動し、前記可動壁とは異なる他の壁と前記可動壁との隙間を閉塞する閉塞部をさらに有することを特徴とする請求項１から４のいずれか１項に記載の画像表示装置。
【請求項６】
前記送風ダクトの壁面のうち、風速の小さい冷却風が通過する側の壁面を前記可動壁とすることを特徴とする請求項１〜５のいずれか１項に記載の画像表示装置。
【発明の詳細な説明】
【技術分野】
【０００１】
本発明は、画像表示装置、特に送風機で内部の冷却対象を冷却する画像表示装置の技術に関する。
【背景技術】
【０００２】
光源装置から射出された光を用いて画像を表示する画像表示装置としては、例えば、赤色（Ｒ）光用、緑色（Ｇ）光用、青色（Ｂ）光用の各透過型液晶表示パネルを備えるプロジェクターが広く普及している。このようなプロジェクターでは、色合成光学装置としてのダイクロイックプリズムの周囲に、液晶表示パネルや偏光板が配置される。液晶表示パネルや偏光板は、照明光の吸収によって発熱する。液晶表示パネルや偏光板の温度が上昇すると画質の劣化や、製品寿命の短縮を招くおそれがある。そこで、液晶表示パネルや偏光板を冷却するために、送風機が用いられる場合がある。送風機から送出された冷却風を、液晶表示パネルや偏光板といった冷却対象の近傍まで送風ダクトで導き、送風ダクトに形成された吹出口から冷却対象に向けて冷却風を吹き出すことで冷却対象を冷却する。
【０００３】
また、プロジェクターには、使用条件などにより静音化が要求される場合がある。例えば、特許文献１には、送風ダクトの吹出口の一部を板部材で塞ぐことにより、吹出口の開口率を変化させる技術が開示されている。この技術では、送風機の出力を落として静音化を図った場合に、吹出口の一部を塞ぐことで、吹出口からの風速の低下を抑えて冷却効率の低下を抑えることができるようにしている。
【先行技術文献】
【特許文献】
【０００４】
【特許文献１】特開２００４−１２７６９号公報
【発明の概要】
【発明が解決しようとする課題】
【０００５】
しかしながら、従来技術によれば、吹出口の一部が板部材で塞がれるため、吹出口付近で冷却風の流れに淀みや乱れが発生しやすくなる。冷却風の流れに淀みや乱れが発生することで、流路抵抗が増し、十分に冷却風が吹き出されず、送風効率が低下するという問題があった。また、冷却風の乱れが新たな騒音源となる場合があるという問題もあった。
【０００６】
本発明は、上述の問題に鑑みてなされたものであり、送風機の出力に合わせて冷却風の風速を調節することができるとともに、冷却風の円滑な流れを阻害しにくい画像表示装置を提供することを目的とする。
【課題を解決するための手段】
【０００７】
上述した課題を解決し、目的を達成するために、本発明は、光源装置から射出した光を画像信号に応じて変調する空間光変調装置と、冷却風を送出する送風機と、送風機から送出された冷却風を、空間光変調装置を含む冷却対象の近傍へ導き、吹出口から空間光変調装置に向けて冷却風を吹き出す送風ダクトと、を備える画像表示装置であって、送風ダクトの壁面の少なくとも一部が、送風ダクトの断面積を変化させるように移動可能な可動壁で構成され、可動壁を移動させる移動手段と、送風機の出力を制御する出力制御部と、送風機の出力の変化に応じて可動壁の移動を制御する可動壁制御部と、をさらに有することを特徴とする。
【０００８】
送風ダクトの壁面の一部が可動壁として移動可能であるので、送風機の出力に合わせて可動壁を移動させることで、冷却風の風速を調節することができる。また、壁面が移動するので、吹出口の一部を塞ぐ場合に比べて、冷却風の円滑な流れを阻害しにくくすることができる。
【０００９】
また、本発明の好ましい態様としては、送風ダクトは、可動壁とは異なる固定壁で吹出口が形成されていることが望ましい。可動壁の移動前と移動後とで、吹出口の形状が変化しないので、冷却対象に冷却風が吹き付けられる位置が変化しにくい。これにより、可動壁の移動前も移動後も、冷却対象全体を安定的に冷却することができる。
【００１０】
また、本発明の好ましい態様としては、冷却対象の温度を検知する温度検知部をさらに有し、可動壁制御部は、温度検知部によって検知された温度に応じて可動壁の移動を制御することが望ましい。冷却対象の実際の温度に応じて可動壁を移動させて風速を変化させることで、効果的に冷却対象を冷却することができる。
【００１１】
また、本発明の好ましい態様としては、冷却風の風速を検知する風速検知部をさらに有し、可動壁制御部は、風速検知部によって検知された風速に応じて可動壁の移動を制御することが望ましい。例えば、経年劣化により送風機から送出される風量が低下した場合であっても、可動壁を移動させることで、風速の低下を抑えて、効果的に空間光変調装置等の冷却対象を冷却することができる。
【００１２】
また、本発明の好ましい態様としては、可動壁の移動に伴って移動し、可動壁とは異なる他の壁と可動壁との隙間を閉塞する閉塞部をさらに有することが望ましい。可動壁の移動前も移動後も、可動壁とは異なる他の壁と可動壁との隙間を閉塞部で閉塞できるので、その隙間から冷却風が漏れるのを防ぐことができる。
【００１３】
また、本発明の好ましい態様としては、送風ダクトの壁面のうち、風速の小さい冷却風が通過する側の壁面を可動壁とすることが望ましい。これにより、風速が大きい冷却風が通過する側の壁面を移動させる場合に比べて、可動壁の移動による冷却風の円滑な流れへの影響を抑えることができる。
【図面の簡単な説明】
【００１４】
【図１】本発明の実施例１に係る画像表示装置としてのプロジェクターの概略構成を示す図である。
【図２】図１に示すプロジェクターが備える冷却装置の概略構成を示す平面図である。
【図３】図２に示す冷却装置の側面図である。
【図４】図３に示すＰ部分を拡大した部分拡大図である。
【図５】図２に示すＡ−Ａ線に沿った矢視断面図である。
【図６】可動壁を移動させた状態でのＡ−Ａ線に沿った矢視断面図である。
【図７】図３に示すＢ−Ｂ線に沿った矢視断面図であって、送風機と送風ダクトの接続部分を拡大した部分拡大断面図である。
【図８】可動壁を移動させた状態でのＢ−Ｂ線に沿った矢視断面図であって、送風機と送風ダクトの接続部分を拡大した部分拡大断面図である。
【図９】可動壁を移動させた状態での概略構成を示す平面図である。
【図１０】本発明の実施例２に係るプロジェクターが備える冷却装置の側面図である。
【図１１】図１０に示す冷却装置の平面図であって、可動壁を移動させた状態を示す図である。
【発明を実施するための形態】
【００１５】
以下に図面を参照して、本発明の実施例を詳細に説明する。
【実施例１】
【００１６】
図１は、本発明の実施例１に係るプロジェクター（画像表示装置）１の概略構成を示す。なお、図１では、後に詳説する冷却装置を省略している。プロジェクター１は、被照射面であるスクリーン３２へ投写光を投写し、スクリーン３２で反射する光を観察することで画像を鑑賞するフロント投写型のプロジェクターである。光源１０は、赤色（Ｒ）光、緑色（Ｇ）光、青色（Ｂ）光を含む光を射出するランプ、例えば超高圧水銀ランプである。第１インテグレーターレンズ１１および第２インテグレーターレンズ１２は、アレイ状に配列された複数のレンズ素子を有する。第１インテグレーターレンズ１１は、光源１０からの光束を複数に分割する。第１インテグレーターレンズ１１の各レンズ素子は、光源１０からの光束を第２インテグレーターレンズ１２のレンズ素子近傍にて集光させる。第２インテグレーターレンズ１２のレンズ素子は、第１インテグレーターレンズ１１のレンズ素子の像を空間光変調装置上に形成する。
【００１７】
２つのインテグレーターレンズ１１、１２を経た光は、偏光変換素子１３にて特定の直線偏光、例えばｓ偏光に変換される。重畳レンズ１４は、第１インテグレーターレンズ１１の各レンズ素子の像を空間光変調装置上で重畳させる。第１インテグレーターレンズ１１、第２インテグレーターレンズ１２および重畳レンズ１４は、光源１０からの光の強度分布を空間光変調装置上にて均一化させる。反射ミラー１５は、重畳レンズ１４からの光を反射させることで、光路を略９０度折り曲げる。第１ダイクロイックミラー１６は、反射ミラー１５から入射する光のうち第１色光であるＢ光を反射し、第２色光であるＧ光、および第３色光であるＲ光を透過させる。第１ダイクロイックミラー１６は、反射によりＢ光の光路を略９０度折り曲げる。
【００１８】
反射ミラー１７は、第１ダイクロイックミラー１６からのＢ光を反射させ、光路を略９０度折り曲げる。Ｂ光用フィールドレンズ１８Ｂは、反射ミラー１７からのＢ光を平行化させる。λ／２位相差板１９Ｂは、Ｂ光用フィールドレンズ１８Ｂからのｓ偏光をｐ偏光に変換する。Ｂ光用入射側偏光板２０Ｂは、Ｂ光用空間光変調装置２１Ｂの入射面近傍に設けられている。Ｂ光用入射側偏光板２０Ｂは、ｐ偏光を透過させる。
【００１９】
Ｂ光用空間光変調装置２１Ｂは、Ｂ光を画像信号に応じて変調する第１色光用空間光変調装置であって、透過型の液晶表示装置である。Ｂ光用空間光変調装置２１Ｂは、光が入射する入射面と、光が射出する射出面とを備える。Ｂ光用空間光変調装置２１Ｂは、後述する投写レンズ３１の光軸ＡＸ側に射出面を向け、その射出面が光軸ＡＸと略平行となるように配置されている。Ｂ光用射出側偏光板２２Ｂは、Ｂ光用空間光変調装置２１Ｂの射出面とクロスダイクロイックプリズム２３との間に設けられている。Ｂ光用射出側偏光板２２Ｂは、ｓ偏光を透過させる。Ｂ光用空間光変調装置２１Ｂでの変調によりｐ偏光から変換されたｓ偏光は、Ｂ光用射出側偏光板２２Ｂを透過し、クロスダイクロイックプリズム２３へ入射する。
【００２０】
第２ダイクロイックミラー２４は、第１ダイクロイックミラー１６からのＧ光を反射させ、Ｒ光を透過させる。第２ダイクロイックミラー２４は、反射によりＧ光の光路を略９０度折り曲げる。Ｇ光用フィールドレンズ１８Ｇは、第２ダイクロイックミラー２４からのＧ光を平行化させる。Ｇ光用入射側偏光板２０Ｇは、Ｇ光用空間光変調装置２１Ｇの入射面近傍に設けられている。Ｇ光用入射側偏光板２０Ｇは、ｓ偏光を透過させる。
【００２１】
Ｇ光用空間光変調装置２１Ｇは、Ｇ光を画像信号に応じて変調する第２色光用空間光変調装置であって、透過型の液晶表示装置である。Ｇ光用空間光変調装置２１Ｇは、光が入射する入射面と、光が射出する射出面とを備える。Ｇ光用空間光変調装置２１Ｇは、後述する投写レンズ３１の光軸ＡＸ側に射出面を向け、その射出面が光軸ＡＸと略平行となるように配置されている。Ｇ光用射出側偏光板２２Ｇは、Ｇ光用空間光変調装置２１Ｇの射出面とクロスダイクロイックプリズム２３との間に設けられている。Ｇ光用射出側偏光板２２Ｇは、ｐ偏光を透過させる。Ｇ光用空間光変調装置２１Ｇでの変調によりｓ偏光から変換されたｐ偏光は、Ｇ光用射出側偏光板２２Ｇを透過し、クロスダイクロイックプリズム２３へ入射する。
【００２２】
第２ダイクロイックミラー２４を透過したＲ光は、リレーレンズ２５を透過した後、反射ミラー２６での反射により光路が折り曲げられる。反射ミラー２６からのＲ光は、さらにリレーレンズ２７を透過した後、反射ミラー２８での反射により光路が折り曲げられる。Ｂ光の光路およびＧ光の光路よりもＲ光の光路が長いことから、空間光変調装置における照明倍率を他の色光と等しくするために、Ｒ光の光路には、リレーレンズ２５、２７を用いるリレー光学系が採用されている。Ｒ光用フィールドレンズ１８Ｒは、反射ミラー２８からのＲ光を平行化させる。λ／２位相差板１９Ｒは、Ｒ光用フィールドレンズ１８Ｒからのｓ偏光をｐ偏光に変換する。Ｒ光用入射側偏光板２０Ｒは、Ｒ光用空間光変調装置２１Ｒの入射側近傍に設けられている。Ｒ光用入射側偏光板２０Ｒは、ｐ偏光を透過させる。
【００２３】
Ｒ光用空間光変調装置２１Ｒは、Ｒ光を画像信号に応じて変調する第３色光用空間光変調装置であって、透過型の液晶表示装置である。Ｒ光用空間光変調装置２１Ｒは、光が入射する入射面と、光が射出する射出面とを備える。Ｒ光用空間光変調装置２１Ｒは、後述する投写レンズ３１の光軸ＡＸ側に射出面を向け、その射出面が光軸ＡＸと略平行となるように配置されている。Ｒ光用射出側偏光板２２Ｒは、Ｒ光用空間光変調装置２１Ｒの射出面とクロスダイクロイックプリズム２３との間に設けられている。Ｒ光用射出側偏光板２２Ｒは、ｓ偏光を透過させる。Ｒ光用空間光変調装置２１Ｒでの変調によりｐ偏光から変換されたｓ偏光は、Ｒ光用射出側偏光板２２Ｒを透過し、クロスダイクロイックプリズム２３へ入射する。
【００２４】
クロスダイクロイックプリズム２３は、Ｂ光用空間光変調装置２１Ｂで変調されたＢ光と、Ｇ光用空間光変調装置２１Ｇで変調されたＧ光と、Ｒ光用空間光変調装置２１Ｒで変調されたＲ光とを合成する色合成光学系として機能する。クロスダイクロイックプリズム２３は、互いに略直交するように配置された２つのダイクロイック膜２９、３０を有する。第１ダイクロイック膜２９は、Ｂ光を反射し、Ｇ光およびＲ光を透過させる。第２ダイクロイック膜３０は、Ｒ光を反射し、Ｂ光およびＧ光を透過させる。投写レンズ３１は、クロスダイクロイックプリズム２３で合成された光をスクリーン３２の方向へ投写する。
【００２５】
プロジェクター１のユーザーは、スクリーン３２に画像を投写する場合に、複数の投写モードの中から、１の投写モードを選択できるようになっている。本実施例１のプロジェクター１は、「ダイナミックモード」、「ナチュラルモード」および「シネマモード」の３種類の投写モードを選択することができる。なお、「ダイナミックモード」は画像の輝度を優先するモード、「ナチュラルモード」は画像の色再現性を優先するモード、「シネマモード」は静音性を優先するモードとなっている。ユーザーは、例えばプロジェクター１の筐体（図示せず）に設けられたモード選択スイッチ（図示せず）を操作して、投写モードを選択することができる。投写モードごとの目的に合わせて、光源１０の出力や後述する送風機の出力等が調整されるが、詳細については後述する。
【００２６】
次に、冷却装置の構成について説明する。図２は、図１に示すプロジェクターが備える冷却装置の概略構成を示す平面図である。図３は、図２に示す冷却装置の側面図である。図４は、図３に示すＰ部分を拡大した部分拡大図である。図５は、図２に示すＡ−Ａ線に沿った矢視断面図である。冷却装置は、各光用入射側偏光板２０Ｒ，２０Ｇ，２０Ｂ、各光用空間光変調装置２１Ｒ，２１Ｇ，２１Ｂ、および各光用射出側偏光板２２Ｒ，２２Ｇ，２２Ｂを冷却するためのものである。すなわち、本実施例１では、各光用入射側偏光板２０Ｒ，２０Ｇ，２０Ｂ、各光用空間光変調装置２１Ｒ，２１Ｇ，２１Ｂ、および各光用射出側偏光板２２Ｒ，２２Ｇ，２２Ｂが、冷却装置８０によって冷却される冷却対象となる。
【００２７】
冷却装置８０は、送風機８１、送風ダクト８２、温度検知部９０、風速検知部９１、制御部（出力制御部）（可動壁制御部）８５を有して構成される。プロジェクター１には、３組の冷却装置８０が設けられている。３組の冷却装置８０のうち、Ｒ光用入射側偏光板２０Ｒ、Ｒ光用空間光変調装置２１Ｒ、およびＲ光用射出側偏光板２２Ｒを冷却する冷却装置８０を例示して説明する。Ｇ光用入射側偏光板２０Ｇ、Ｇ光用空間光変調装置２１Ｇ、およびＧ光用射出側偏光板２２Ｇを冷却するための冷却装置８０と、Ｂ光用入射側偏光板２０Ｂ、Ｂ光用空間光変調装置２１Ｂ、およびＢ光用射出側偏光板２２Ｂを冷却するための冷却装置８０も同様の構成であるため、図示および説明は省略する。
【００２８】
送風機８１は、送出口８１ａから冷却風を送出する。送風機８１は、シロッコファンである。なお、送風機８１は、送出口を有して冷却風を送出できるものであればよく、例えば、軸流ファンでもよい。送風ダクト８２は、送風機８１の送出口８１ａに接続される。送風ダクト８２には、送風機８１から送出された冷却風を、冷却対象まで導く導風路８４が内部に形成されている。送風ダクト８２は、冷却対象の下方となる位置に開口が形成されており、この開口が冷却風を吹き出す吹出口８２ａとなる。送風ダクト８２は、送風機８１から送出された冷却風を、冷却対象の近傍である下方まで導いて、吹出口８２ａから冷却対象に向けて吹き出させる。冷却対象は、冷却風が吹き付けられることで、冷却され、温度の上昇が抑えられる。
【００２９】
図２、図５に示すように、導風路８４は、固定壁８６と可動壁８８とに囲まれて形成される。固定壁８６の内側には、冷却風の進行方向に略垂直な方向に溝状のレール８６ａが形成されている。可動壁８８には、レール８６ａに嵌まるガイド８８ａが形成されている。ガイド８８ａがレール８６ａに嵌まることで、可動壁８８がレール８６ａに沿って移動可能となる。本実施例１では、送風機８１との接続部分から吹出口８２ａにわたる送風ダクト８２の一側面全体（図３で示す斜線部分）が可動壁８８を構成する。
【００３０】
なお、導風路８４を構成する各壁面のうち、送風機８１の送出口８１ａから送出される冷却風の風速が小さい側の壁面が可動壁８８とされることが望ましい。本実施例１のように、送風機８１としてシロッコファンを用いた場合には、シロッコファンが備える羽根車（図示せず）の回転軸に沿って見た場合（図２に示す平面視の場合）に、羽根車の中心軸よりも一方側にシフトして送出口８１ａが形成される。そして、送出口８１ａのうち、そのシフト方向と反対方向側から送出される冷却風の風速のほうが、シフト方向側から送出される冷却風の風速よりも小さくなりやすい。そこで、本実施例１では、送出口８１ａのシフト方向と反対側に位置する壁面を可動壁８８としている。これにより、風速が大きな冷却風が通過する側の壁面を移動させる場合に比べて、可動壁８８の移動による冷却風の円滑な流れへの影響を抑えることができる。
【００３１】
固定壁８６のレール８６ａの一部には、アクチュエーター（移動手段）８９が貼り付けられている。アクチュエーター８９は、制御部８５に制御されて、レール８６ａに嵌まっているガイド８８ａを移動させる。ガイド８８ａが移動されることで、可動壁８８も移動する。アクチュエーター８９には、例えばリニアモーターやピエゾモーターが用いられる。
【００３２】
図５に示すように、可動壁８８の外側には、パッキン（閉塞部）９２が設けられている。パッキン９２は、可動壁８８よりもやや大きめの平板形状を呈している。パッキン９２には、可撓性のあるゴム部材等が用いられる。パッキン９２は、固定壁８６と可動壁８８との隙間から冷却風が漏れるのを防ぐ。
【００３３】
図６は、可動壁８８を移動させた状態でのＡ−Ａ線に沿った矢視断面図である。このように、可動壁８８が移動した場合であっても、パッキン９２が可動壁８８の移動に伴って移動し、固定壁８６と可動壁８８との隙間から冷却風が漏れるのを防ぐことができる。なお、図５、図６を除く図面では、パッキン９２の図示を省略している。
【００３４】
また、パッキン９２の形状は、本実施例１で示す平板形状に限られず、可動壁８８の移動に伴って移動し、固定壁８６と可動壁８８との隙間を塞ぐものであれば、その形状や素材は問わない。例えば、本実施例１のように平板形状で可動壁８８全体を覆うのではなく、固定壁８６と可動壁８８との隙間だけを塞ぐような形状であってもよい。
【００３５】
次に、送風機８１と送風ダクト８２との接続部分での可動壁８８の動作について説明する。図７は、図３に示すＢ−Ｂ線に沿った矢視断面図であって、送風機８１と送風ダクト８２との接続部分を拡大した部分拡大断面図である。送風機８１と送風ダクト８２との接続部分では、送風機８１の送出口８１ａの面積が変化しないので、可動壁８８を単純に移動させると、送風ダクト８２と送出口８１ａとの間に隙間ができてしまい、冷却風が漏れてしまう。そこで、可動壁８８は、送出口８１ａとの接続部分の近傍に形成された折れ部８８ｂ部分で、屈曲可能とされている。また、送風ダクト８２は、送出口８１ａの外側に可動壁８８が被さるように接続されている。可動壁８８の上端と下端には、溝状の溝部８８ｃが形成されている。溝部８８ｃには、固定壁８６側に形成されたピン８６ｂが嵌まるようになっている。そして、導風路８４の内側であって、可動壁８８と送出口８１ａとの間には、パッキン９４が設けられている。パッキン９４には、可撓性のあるゴム部材等が用いられる。パッキン９４は、送出口８１ａ側に固定されている。パッキン９４は、可動壁８８と送出口８１ａとの隙間から冷却風が漏れるのを防ぐ。
【００３６】
図８は、可動壁８８を移動させた状態でのＢ−Ｂ線に沿った矢視断面図であって、送風機と送風ダクトの接続部分を拡大した部分拡大断面図である。このように、可動壁８８を移動させた場合であっても、可動壁８８が屈曲することで、可動壁８８と送出口８１ａとの間に隙間ができにくくなる。また、可動壁８８と送出口８１ａとの間に僅かに隙間ができた場合であっても、パッキン９４が、可動壁８８の移動に伴って変形し、その隙間を塞ぐので、冷却風の漏れをより確実に抑えることができる。また、可動壁８８を移動させると、可動壁８８のうち折れ部８８ｂよりも下流側部分は、冷却風の進行方向と略垂直な方向に平行に移動する。そして、折れ部８８ｂよりも上流側は、送出口８１ａとの接続部分で回転するとともに、下流側部分の平行移動に合わせてスライド移動する。ここで、ピン８６ｂの嵌まる部分には溝部８８ｃが形成されているので、可動壁８８は、回転移動とともにスライド移動を円滑に行うことができ、可動壁８８全体の移動が阻害されずに済む。
【００３７】
温度検知部９０は、冷却対象であるＲ光用射出側偏光板２２Ｒの温度を検知できる位置に設けられる。温度検知部９０は、検知した温度情報を制御部８５に送る。風速検知部９１は、導風路８４の内部に設けられて、冷却風の風速を検知する。風速検知部９１は、検知した風速情報を制御部８５に送る。
【００３８】
制御部８５は、上述した投写モードごとの目的に合わせて光源１０や送風機８１を制御するとともに、冷却対象をより効果的に冷却できるようにアクチュエーター８９を制御して可動壁８８を移動させる。より具体的には、「ダイナミックモード」において、スクリーン３２に投写される画像の輝度が高くなるように、光源１０の出力を大きくする。また、制御部８５は、「ダイナミックモード」において、送風機８１の出力を大きくする。また、制御部８５は、「ダイナミックモード」において、可動壁８８を導風路８４の最も外側に位置させる。
【００３９】
以下の説明において、「ダイナミックモード」での光源１０の出力を、光源１０の１００％の出力として説明し、送風機８１の出力を、送風機８１の１００％の出力として説明し、導風路８４の断面積を、１００％の断面積として説明する。「ダイナミックモード」では、光源１０の出力が大きくなるため、冷却対象での発熱量も大きくなるが、送風機８１から送出される冷却風も多くなるため、十分な風速で冷却対象に冷却風が吹き付けられて、冷却対象が効果的に冷却される。このように、「ダイナミックモード」は、静音性よりも画像の輝度が優先される。
【００４０】
制御部８５は、「ナチュラルモード」において、画像の色の再現性を高めるために、光源１０の出力を８０％に下げる。また、制御部は、「ナチュラルモード」において、「ダイナミックモード」よりも静音性を高めるために、送風機８１の出力を８０％に下げる。ここで、送風機８１から送出される冷却風が少なくなることで、送風ダクト８２の吹出口８２ａから吹き出される冷却風の風速まで下がってしまうと、冷却対象の冷却効率が低下してしまう。そこで、制御部８５は、図６に示すように、可動壁８８を移動させて、導風路８４の断面積を８０％とする。これにより、導風路８４内での風速の低下を抑えることができる。また、図９に示すように、可動壁８８を移動させることで、送風ダクト８２の吹出口８２ａの面積も小さくすることができ、吹出口８２ａから吹き出される冷却風の風速の低下も抑えることができる。また、図９に示すように、導風路８４の断面積の急激な変化も少ないため、冷却風の流れに淀みや乱れが発生しにくくなるので、送風効率の低下も抑えることができる。また、冷却風の乱れによる騒音も抑えることができる。
【００４１】
制御部８５は、「シネマモード」において、画像の色の再現性を高めるために、光源１０の出力を「ナチュラルモード」と同様に８０％にする。また、制御部８５は、「シネマモード」において、「ナチュラルモード」よりもさらに静音性を高めるために、送風機８１の出力を５０％に下げる。ここで、送風機８１から送出される冷却風がさらに少なくなることで、送風ダクト８２の吹出口８２ａから吹き出される冷却風の風速もさらに低下する。そこで、制御部８５は、可動壁８８を移動させて、導風路８４の断面積を４０％まで小さくさせる。これにより、導風路８４内での風速の低下を抑えることができる。もちろん、送風ダクト８２の吹出口８２ａの面積も小さくなるので、吹出口８２ａから吹き出される冷却風の風速の低下も抑えることができる。また、導風路８４の断面積の急激な変化も少ないため、冷却風の流れに淀みや乱れが発生しにくくなるので、送風効率の低下も抑えることができる。また、冷却風の乱れによる騒音も抑えることができる。
【００４２】
制御部８５は、投写モード以外にも、温度検知部９０によって検知された温度情報や風速検知部９１によって検知された風速情報に応じて、冷却対象をより効果的に冷却できるように光源１０や送風機８１を制御する。制御部８５は、温度検知部９０から受け取った温度情報により、Ｒ光用射出側偏光板２２Ｒの温度が上昇していることを検知した場合には、可動壁８８を移動させて、冷却風の風速を大きくして、Ｒ光用射出側偏光板２２Ｒの温度を低下させる。このような制御を行うことで、投写モードの変更以外の理由で、冷却対象の温度が上昇した場合、例えば、Ｒ光用射出側偏光板２２Ｒで吸収する光量が多い画像を連続して投写した場合であっても、冷却風の風速を大きくして、冷却対象を効果的に冷却することができる。なお、温度検知部９０の設置位置は、Ｒ光用射出側偏光板２２Ｒに限られず、Ｒ光用入射側偏光板２０ＲやＲ光用空間光変調装置２１Ｒであってもよい。
【００４３】
また、制御部８５は、風速検知部９１から受け取った風速情報により、導風路８４内での風速や吹出口８２ａからの風速が低下していることを検知した場合には、可動壁８８を移動させて、冷却風の風速を大きくする。これにより、風速不足による、冷却対象の温度上昇を抑えることができる。例えば、経年劣化による送風機８１の性能の低下や、送風機８１の吸込口（図示せず）の目詰まり等により、送風機８１から送出される冷却風の風量が低下した場合であっても、冷却風の風速を維持して、冷却対象を効果的に冷却することができる。
【実施例２】
【００４４】
図１０は、本発明の実施例２に係るプロジェクターが備える冷却装置の側面図である。図１１は、図１０に冷却装置の平面図であって、可動壁を移動させた状態を示す図である。上記実施例と同様の構成については、同様の符号を付し、詳細な説明を省略する。本実施例２では、図１０に示すように、送風ダクト８２の一側面のうち、送風機８１との接続部分から、送風ダクト８２の折れ曲がる手前部分まで（図１０で示す斜線部分）が可動壁８８を構成する。これにより、送風ダクト８２の吹出口８２ａは、固定壁８６で形成されることとなる。
【００４５】
また、可動壁８８は、詳細な図示を省略するが、実施例１において送風機８１の送出口８１ａと送風ダクト８２との接続部分で示したような、折れ部８８ｂによる屈曲構造を、冷却風の下流側部分にも有している。このように構成することで、図１１に示すように、可動壁８８を移動させた場合であっても、固定壁８６と可動壁８８との間に隙間ができにくくなる。また、本実施例２では、可動壁８８の移動前と移動後とで、吹出口８２ａの形状が変化しないので、冷却対象に冷却風が吹き付けられる位置が変化しにくい。これにより、可動壁８８の移動前も移動後も、冷却対象全体を安定的に冷却することができる。なお、可動壁８８の移動により、導風路８４の断面積は変化させることができるので、送風機８１の出力や、冷却対象の温度や、冷却風の風速に合わせて、可動壁８８を移動させて、吹出口８２ａから吹き出される冷却風の風速を調節して、冷却対象の効果的な冷却を実現することができる。
【００４６】
なお、画像表示装置としてのプロジェクター１は、空間光変調装置として透過型液晶表示装置を用いる場合に限られない。空間光変調装置としては、反射型液晶表示装置（Liquid  Crystal  On  Silicon；ＬＣＯＳ）、ＤＭＤ（Digital  Micromirror  Device）、ＧＬＶ（Grating  Light  Valve）等を用いても良い。プロジェクター１は、色光ごとに空間光変調装置を備える構成に限られない。プロジェクター１は、一の空間光変調装置により２つ又は３つ以上の色光を変調する構成としても良い。プロジェクター１は、空間光変調装置を用いる場合に限られない。プロジェクター１は、画像情報を持たせたスライドを用いるスライドプロジェクターであっても良い。プロジェクター１は、スクリーンの一方の面に光を供給し、スクリーンの他方の面から射出される光を観察することで画像を鑑賞する、いわゆるリアプロジェクターであっても良い。すなわち、冷却対象と、送風機と、送風機から送出された冷却風を冷却対象に導く導風路とを備える画像表示装置であれば、本発明を適用することができる。
【符号の説明】
【００４７】
１  プロジェクター（画像表示装置）、１０  光源、１１  第１インテグレーターレンズ、１２  第２インテグレーターレンズ、１３  偏光変換素子、１４  重畳レンズ、１５、１７  反射ミラー、１６  第１ダイクロイックミラー、１８Ｂ  Ｂ光用フィールドレンズ、１８Ｇ  Ｇ光用フィールドレンズ、１８Ｒ  Ｒ光用フィールドレンズ、１９Ｂ、１９Ｒ  λ／２位相差板、２０Ｂ  Ｂ光用入射側偏光板、２０Ｇ  Ｇ光用入射側偏光板、２０Ｒ  Ｒ光用入射側偏光板、２１Ｂ  Ｂ光用空間光変調装置、２１Ｇ  Ｇ光用空間光変調装置、２１Ｒ  Ｒ光用空間光変調装置、２２Ｂ  Ｂ光用射出側偏光板、２２Ｇ  Ｇ光用射出側偏光板、２２Ｒ  Ｒ光用射出側偏光板、２３  クロスダイクロイックプリズム、２４  第２ダイクロイックミラー、２５、２７  リレーレンズ、２６、２８  反射ミラー、２９  第１ダイクロイック膜、３０  第２ダイクロイック膜、３１  投写レンズ、３２  スクリーン、８０  冷却装置、８１  送風機、８１ａ  送出口、８２  送風ダクト、８２ａ  吹出口、８４  導風路、８５  制御部（出力制御部）（可動壁制御部）、８６  固定壁、８６ａ  レール、８６ｂ  ピン、８８  可動壁、８８ａ  ガイド、８８ｂ  折れ部、８８ｃ  溝部、８９  アクチュエーター（移動手段）、９０  温度検知部、９１  風速検知部、９２  パッキン（閉塞部）、９４  パッキン
【図１】
2011138062.tif 000003
【図２】
2011138062.tif 000004
【図３】
2011138062.tif 000005
【図４】
2011138062.tif 000006
【図５】
2011138062.tif 000007
【図６】
2011138062.tif 000008
【図７】
2011138062.tif 000009
【図８】
2011138062.tif 000010
【図９】
2011138062.tif 000011
【図１０】
2011138062.tif 000012
【図１１】
2011138062.tif 000013